(57)【要約】【課題】下着に固定して使用する吸収性物品で、使用後に下着から衛生的且つ容易に剥がすことが可能な吸収性物品を提供すること。【解決手段】溝６は、本体５の縦方向一端側Ａに位置し且つ平面視して本体５の縦方向他端側Ｂに向けて突出する凸部を有する、横溝６１と、該横溝６１を挟んで相対向し且つ縦方向Ｘに延びる一対の縦溝６２，６２とを有し、横溝６１は、本体５を横方向Ｙに二分する縦方向中心線Ｌｘを挟んで対称的に形成されている。本体５の縦方向一端部Ａｚは、該縦方向一端部Ａｚの横方向Ｙの長さが縦方向Ｘの内方から外方に向かって漸次減少している幅減少部１０を有している。長さａ１＞長さａ２の関係を満たし、且つ長さｂ１＜長さｂ２の関係を満たしている。【選択図】図１
2014117525.tif 000002
【特許請求の範囲】
【請求項１】
下着に固定して使用する吸収性物品で、着用者の前後方向に相当する縦方向とこれに直交する横方向とを有し、肌対向面を形成する表面シート、非肌対向面を形成する裏面シート及びこれら両シート間に配された吸収体を具備する吸収性本体を備え、該裏面シートの非肌対向面に、該吸収性本体を下着に固定する粘着部が設けられている吸収性物品であって、
前記吸収性本体の肌対向面に、前記表面シート及び前記吸収体が前記裏面シート側に向かって一体的に凹陥してなる溝が形成されており、
前記溝は、前記吸収性本体の縦方向一端側に位置し且つ平面視して該吸収性本体の縦方向他端側に向けて突出する凸部を有する、横溝と、該横溝を挟んで相対向し且つ縦方向に延びる一対の縦溝とを有し、該横溝は、該吸収性本体を横方向に二分する縦方向中心線を挟んで対称的に形成されており、
前記吸収性本体の縦方向一端部は、該縦方向一端部の横方向の長さが縦方向の内方から外方に向かって漸次減少している幅減少部を有しており、
前記縦方向中心線と平行で且つ前記縦溝における横方向最外方に位置する部分を通る仮想直線を引いた場合、該縦方向中心線と前記吸収性本体の縦方向一端部の縁との交点から前記吸収体までの、該縦方向中心線に沿った長さａ１に比して、該仮想直線と該縁との交点から該吸収体までの、該仮想直線に沿った長さａ２の方が短く、
前記縦方向中心線と前記幅減少部との重なり部分の長さｂ１に比して、前記交点Ｐから前記粘着部までの、前記縦方向中心線に沿った長さｂ２の方が長い吸収性物品。
【請求項２】
前記横溝は、平面視して前記吸収性本体の縦方向他端側に向けて凸状に湾曲し、その凸状の湾曲部から該横溝の前記凸部が形成されている請求項１記載の吸収性物品。
【請求項３】
前記溝は、前記横溝と一対の前記縦溝とで囲まれた領域に、平面視して前記吸収性本体の縦方向他端側に向けて凸状に湾曲し且つ前記縦方向中心線を挟んで対称的に形成されている、湾曲溝を有している請求項１又は２記載の吸収性物品。
【請求項４】
前記溝における前記吸収体の縦方向一端に最も近接する部分から、該吸収体の縦方向一端までの、縦方向に沿った長さａ３が２０ｍｍ以上である請求項１〜３の何れか一項に記載の吸収性物品。
【発明の詳細な説明】
【技術分野】
【０００１】
本発明は、生理用ナプキン、パンティライナー（おりものシート）、失禁パッド等の、ショーツ等の下着に固定して使用する吸収性物品に関する。
【背景技術】
【０００２】
従来、生理用ナプキン等の吸収性物品において、漏れ防止性や装着性を向上させるために、その肌対向面側に、表面シート及び吸収体が裏面シート側に向かって一体的に凹陥してなる溝を形成することが知られている（例えば特許文献１参照）。この溝の平面視形状に関しては種々提案がなされており、例えば特許文献２には、生理期間中の陰鬱な気分を紛らわせること等を目的として、生理用ナプキンの前側部に形成される溝（前側部エンボス部１１）を、平面視して略ハート形に形成することが記載されている。
【０００３】
また、通常、生理用ナプキン等の吸収性物品には、使用中におけるズレを防止すること等を目的として、その非肌対向面（裏面シート側）に粘着剤が塗布されて、粘着部が設けられており、使用時には、該粘着部を介して吸収性物品を下着に固定する。特許文献３には、この粘着剤の塗布パターンに関し、吸収性物品の長手方向沿ったライン状、格子状、図形柄等、種々の塗布パターンが記載されている。
【先行技術文献】
【特許文献】
【０００４】
【特許文献１】特開２００７−２７５４９１号公報
【特許文献２】特開２０１１−１５６０７０号公報
【特許文献３】特開２０１１−５３０８号公報
【発明の概要】
【発明が解決しようとする課題】
【０００５】
粘着部を介して下着に固定されている生理用ナプキンは、使用後に下着から剥がされて廃棄される。その際、生理用ナプキンの使用者は、通常、生理用ナプキンに吸収された経血等の体液に触れないように注意し、生理用ナプキンの端部等、体液で汚れていない部分を指で摘んで引っ張るようにして、生理用ナプキンを剥がす。しかしながら、例えば、そのような廃棄処理を手早く行わなければならない場合、あるいは照明等が不十分な暗い場所で廃棄処理を行う場合、あるいは生理用ナプキンを下着に固定する時点での装着ミス等に起因して該生理用ナプキンにヨレやズレが生じている場合は、生理用ナプキンを下着から剥がす際に指が体液で汚れている部分に触れる可能性があり、不衛生である。下着に固定された吸収性物品を衛生的且つ容易に剥がし得る技術は未だ提供されていない。
【０００６】
従って本発明の課題は、下着に固定して使用する吸収性物品で、使用後に下着から衛生的且つ容易に剥がすことが可能な吸収性物品を提供することにある。
【課題を解決するための手段】
【０００７】
本発明は、下着に固定して使用する吸収性物品で、着用者の前後方向に相当する縦方向とこれに直交する横方向とを有し、肌対向面を形成する表面シート、非肌対向面を形成する裏面シート及びこれら両シート間に配された吸収体を具備する吸収性本体を備え、該裏面シートの非肌対向面に、該吸収性本体を下着に固定する粘着部が設けられている吸収性物品であって、前記吸収性本体の肌対向面に、前記表面シート及び前記吸収体が前記裏面シート側に向かって一体的に凹陥してなる溝が形成されており、前記溝は、前記吸収性本体の縦方向一端側に位置し且つ平面視して該吸収性本体の縦方向他端側に向けて突出する凸部を有する、横溝と、該横溝を挟んで相対向し且つ縦方向に延びる一対の縦溝とを有し、該横溝は、該吸収性本体を横方向に二分する縦方向中心線を挟んで対称的に形成されており、前記吸収性本体の縦方向一端部は、該縦方向一端部の横方向の長さが縦方向の内方から外方に向かって漸次減少している幅減少部を有しており、前記縦方向中心線と平行で且つ前記縦溝における横方向最外方に位置する部分を通る仮想直線を引いた場合、該縦方向中心線と前記吸収性本体の縦方向一端部の縁との交点から前記吸収体までの、該縦方向中心線に沿った長さａ１に比して、該仮想直線と該縁との交点から該吸収体までの、該仮想直線に沿った長さａ２の方が短く、前記縦方向中心線と前記幅減少部との重なり部分の長さｂ１に比して、前記交点Ｐから前記粘着部までの、前記縦方向中心線に沿った長さｂ２の方が長い吸収性物品を提供することにより、前記課題を解決したものである。
【発明の効果】
【０００８】
本発明によれば、下着に固定して使用する吸収性物品で、使用後に下着から衛生的且つ掴み易く容易に剥がすことが可能な吸収性物品が提供される。
【図面の簡単な説明】
【０００９】
【図１】図１（ａ）は、本発明の吸収性物品の一実施形態である生理用ナプキンの肌対向面側（表面シート側）を模式的に示す平面図であり、図１（ｂ）は、該生理用ナプキンの非肌対向面側（裏面シート側）を模式的に示す平面図である。
【図２】図２は、図１のＩ−Ｉ線断面（横方向に沿う断面）を模式的に示す断面図である。
【図３】図３は、本発明に係る「仮想中心線と平行で且つ縦溝における横方向最外方に位置する部分を通る仮想直線」の説明図である。
【図４】図４は、本発明の吸収性物品の他の実施形態の図１（ａ）相当図である。
【図５】図５は、比較例の吸収性物品（生理用ナプキン）の肌対向面に形成された溝の平面図である。
【発明を実施するための形態】
【００１０】
以下、本発明の吸収性物品を、その好ましい一実施形態である生理用ナプキンに基づき図面を参照して説明する。本発明の吸収性物品は、ショーツ等の下着に固定して使用するもので、生理用ナプキンの他、パンティライナー（おりものシート）、失禁パッド等が例示できる。
【００１１】
本実施形態のナプキン１は、図１及び図２に示すように、着用者の前後方向に相当する縦方向Ｘとこれに直交する横方向Ｙとを有し、肌対向面を形成する表面シート２、非肌対向面を形成する裏面シート３及びこれら両シート２，３間に配された液保持性の吸収体４を具備する吸収性本体５を備え、裏面シート３の非肌対向面に、吸収性本体５を下着に固定する粘着部７が設けられている。吸収性本体５において、表面シート２及び裏面シート３は、それぞれ、吸収体４の周縁から延出し、それらの延出部の端部において互いに接着剤、ヒートシール等の公知の接合手段により接合されてエンドシール部を形成している。表面シート２及び裏面シート３と吸収体４との間は、それぞれ、接着剤によって接合されていても良い。
【００１２】
尚、本明細書において、肌対向面は、吸収性物品又はその構成部材（例えば吸収性本体５）における、吸収性物品の着用時に着用者の肌側に向けられる面であり、非肌対向面は、吸収性物品又はその構成部材における、吸収性物品の着用時に肌側とは反対側（下着側）に向けられる面である。また、縦方向Ｘは、吸収性物品又はその構成部材の長辺に沿う方向（長手方向）に一致し、横方向Ｙは、吸収性物品又はその構成部材の幅方向に一致する。
【００１３】
吸収性本体５（ナプキン１）は、図１に示す如き平面視において一方向（縦方向Ｘ）に長い形状をなし、実質的に縦長に形成されている。吸収性本体５（ナプキン１）は、該吸収性本体５（ナプキン１）を縦方向Ｘに二分する横方向中心線Ｌｙを挟んで対称的に形成されていると共に、該吸収性本体５（ナプキン１）を横方向Ｙに二分する縦方向中心線Ｌｘを挟んで対称的に形成されている。
【００１４】
吸収性本体５（ナプキン１）は、横方向中心線Ｌｙを基準として、縦方向一端側と他端側とに分けられる。吸収性本体５（ナプキン１）は、この縦方向一端側又は他端側として、着用時に着用者の腹側（前側）に配される前方部Ａを有し、また、その縦方向Ｘの反対側（縦方向他端側又は一端側）として、着用時に着用者の背側（後側）に配される後方部Ｂを有している。尚、ここでいう「着用時」は、通常の適正な着用位置（当該吸収性物品の正しい着用位置）が維持された状態を意味し、吸収性物品が該着用位置からズレた状態にある場合は含まない。
【００１５】
図１（ａ）及び図２に示すように、吸収性本体５の肌対向面（表面シート２の肌対向面）には、表面シート２及び吸収体４が裏面シート３側に向かって一体的に凹陥してなる溝６が形成されている。溝６（後述する横溝６１、縦溝６２、湾曲溝６３）においては、表面シート２及び吸収体４が熱融着等により一体化している。溝６は、熱を伴うか又は伴わないエンボス、あるいは超音波エンボス等のエンボス加工により常法に従って形成することができる。
【００１６】
溝６は、図１（ａ）に示すように、前方部Ａ（吸収性本体５の縦方向一端側）に位置し且つ平面視して後方部Ｂ側（吸収性本体５の縦方向他端側）に向けて突出する凸部を有する、横溝６１と、該横溝６１を挟んで相対向し且つ縦方向Ｘに延びる一対の縦溝６２，６２とを有している（下記構成２）。横溝６１と一対の縦溝６２，６２とは、それらの長さ方向の端部で繋がっており、全体として平面視所定形状（略Ｍ字状）の溝６を形成している。本実施形態に係る横溝６１は、図１（ａ）に示すように、平面視して後方部Ｂ側に向けて凸状に湾曲し、その凸状の湾曲部から該横溝６１の前記凸部が形成されている。尚、本発明に係る横溝は、このような凸状に湾曲するものに制限されず、吸収性本体の縦方向他端側に向けて突出する凸部を有するように、凸状に曲がっていれば良く、該横溝の平面視形状は、例えば三角形状、波型形状であっても良いが、図１（ａ）に示すように湾曲していることが好ましい。
【００１７】
横溝６１は、吸収性本体５を横方向Ｙに二分する縦方向中心線Ｌｘを挟んで対称的に形成されている。横溝６１の凸の頂部は、該横溝６１と縦方向中心線Ｌｘとの交点に位置している。横溝６１は、吸収性本体５の縦方向Ｘの最前方に位置しており、横溝６１よりも縦方向Ｘの前側には、溝（表面シート及び吸収体が裏面シート側に向かって一体的に凹陥してなる溝）は形成されていない。
【００１８】
一対の縦溝６２，６２は、それぞれ、図１（ａ）に示す如き平面視において線状をなしている。ここで、「線状」とは、溝（凹陥部）の形状が平面視において直線に限られず、曲線を含み、各線は、連続線でも破線でも良い。本実施形態においては、図１（ａ）に示すように、一対の縦溝６２，６２は、それぞれ、縦方向Ｘに延びる直線状をなしている。一対の縦溝６２，６２は、縦方向中心線Ｌｘを挟んで対照的に形成されている。各縦溝６２は、吸収性本体５（ナプキン１）を縦方向Ｘに二分する横方向中心線Ｌｙを跨いでおり、前方部Ａから後方部Ｂに亘って連続している。
【００１９】
溝６（横溝６１、縦溝６２、後述する湾曲溝６３）は、１）溝６の全体が一定の深さで凹陥していても良く、あるいは２）相対的に浅く凹陥している浅凹陥部と、相対的に深く凹陥している深凹陥部とを含んで構成されていても良い。前記２）の場合、溝６は、浅凹陥部と深凹陥部とが溝６の長さ方向に沿って交互に連なることによって、全体として連続線を形成する。溝６は、エンボス加工によって表面シート２及び吸収体４を圧搾することによって形成されるところ、浅凹陥部は、エンボス加工において相対的に弱く圧搾され深さが浅い部位であり、深凹陥部は、エンボス加工において相対的に強く圧搾され深さが深い部位である。浅凹陥部及び深凹陥部の平面視形状は、それぞれ、特に制限されず、矩形、正方形、菱形、円形、十字等とすることができる。
【００２０】
粘着部７は、図１（ｂ）に示すように、一方向Ｘに長い縦長の矩形形状をなし、その長手方向を吸収性本体５の縦方向Ｘに一致させ且つ縦方向中心線Ｌｘによって横方向Ｙに二分されるように、裏面シート３の非肌対向面に配されている。図１（ｂ）に示す如き平面視において、粘着部７の全体が吸収体４と重なっており、粘着部７全体が吸収体４の周縁よりも内方に位置している。粘着部７は、ホットメルト粘着剤を裏面シート３の所定箇所に塗布することにより設けられている。粘着部７は、ナプキン１の使用前においてはフィルム、不織布、紙等からなる図示しない剥離シートによって被覆されており、使用時には剥離シートを剥がして粘着部７を露出させる。
【００２１】
図１に示すように、吸収性本体５の前方部Ａ側の縦方向端部（吸収性本体５の縦方向一端部）Ａｚは、該端部Ａｚの横方向Ｙの長さ（幅）が縦方向Ｘの内方から外方に向かって（図１の左側から右側に向かって）漸次減少している幅減少部１０を有している。幅減少部１０（前方部Ａ側の縦方向端部Ａｚ）は、平面視して等脚台形形状をなし、縦方向中心線Ｌｘを挟んで対称的に形成されている。
【００２２】
本実施形態においては、前述したように、吸収性本体５（ナプキン１）は、横方向中心線Ｌｙを挟んで対称的に形成されており、従って、図１に示すように、吸収性本体５の前方部Ａ側の縦方向端部Ａｚのみならず、吸収性本体５の後方部Ｂ側の縦方向端部（吸収性本体５の縦方向他端部）Ｂｚも、該端部Ｂｚの横方向Ｙの長さ（幅）が縦方向Ｘの内方から外方に向かって（図１の右側から左側に向かって）漸次減少している幅減少部１０を有している。吸収性本体５における両縦方向端部Ａｚ，Ｂｚ（幅減少部１０）に挟まれた部分は、横方向Ｙの長さ（幅）が一定である。
【００２３】
本発明が解決しようとする主たる課題の１つは、粘着部を介して下着に固定された吸収性物品を指で掴んで該下着から剥がす際に、該吸収性物品に吸収された経血等の体液が指に付着し難くすることであり、斯かる課題を解決する工夫として、本発明においては、Ａ）吸収性物品（吸収性本体）内に、体液が拡がり難い領域を形成し、且つＢ）その体液が拡がり難い領域を起点（掴み部）として、吸収性物品が固定されている下着から該吸収性物品を剥がし易くしている。
【００２４】
そして、本実施形態においては、前記Ａ）及びＢ）の工夫を、下記構成１〜３（図１参照）を採用することによって具現化している。下記構成２については既に述べた通りである。
・構成１：  縦方向中心線Ｌｘと平行で且つ縦溝６２における横方向最外方に位置する部分を通る仮想直線Ｌｚを引いた場合、縦方向中心線Ｌｘと吸収性本体５の前方部Ａ側の縦方向端部Ａｚの縁（吸収性本体５の縦方向一端部の縁）５Ａｓとの交点Ｐから吸収体４までの、縦方向中心線Ｌｘに沿った長さａ１に比して、仮想直線Ｌｚと縁５Ａｓとの交点Ｑから吸収体４までの、仮想直線Ｌｚに沿った長さａ２の方が短い（長さａ１＞長さａ２）。
・構成２：  溝６は、前方部Ａ（吸収性本体５の縦方向一端側）に位置し且つ平面視して後方部Ｂ側（吸収性本体５の縦方向他端側）に向けて突出する凸部を有する（凸状に湾曲する）、横溝６１と、該横溝６１を挟んで相対向し且つ縦方向Ｘに延びる一対の縦溝６２，６２とを有している。
・構成３：  縦方向中心線Ｌｘと幅減少部１０との重なり部分の長さｂ１に比して、交点Ｐから粘着部７までの、縦方向中心線Ｌｘに沿った長さｂ２の方が長い（長さｂ１＜長さｂ２）。
【００２５】
尚、前記構成１の「縦方向中心線Ｌｘと平行で且つ縦溝６２における横方向最外方に位置する部分を通る仮想直線Ｌｚ」に関し、例えば縦溝６２が、図３に示すような、曲線を含む縦溝６２’である場合、仮想直線Ｌｚは、図３に示すように、縦溝６２’において横方向Ｙの最外方に位置する部分を通るように引く。
【００２６】
本実施形態においては、粘着部７を介して下着に固定されたナプキン１（吸収性本体５）を該下着から剥がす際に起点（掴み部）として利用されることの多い部位が、吸収性本体５の前方部Ａ側の縦方向端部Ａｚ（吸収性本体５の縦方向一端部）の横方向Ｙの中央部、即ち、「縦方向中心線Ｌｘと吸収性本体５の縦方向端部Ａｚの縁５Ａｓとの交点Ｐ及びその近傍」である点に着目し、ナプキン１（吸収性本体５）の中央部又はその近傍（排泄部対向部）に排泄された経血等の体液が、交点Ｐ及びその近傍に到達し難く、且つ交点Ｐ及びその近傍を起点としてナプキン１（吸収性本体５）を下着から剥がし易くするために、前記構成１〜３を採用している。特に、前記構成１及び２は、体液を交点Ｐ及びその近傍に到達し難くするのに有効であり、前記構成３は、交点Ｐ及びその近傍を起点としてナプキン１（吸収性本体５）を下着から剥がし易くするのに有効である。
【００２７】
前記構成３の採用により長さｂ１＜長さｂ２となっていると、ナプキン１（吸収性本体５）が粘着部７を介して下着の肌対向面に固定されている状態において、前方部Ａにおける吸収体４の存在領域と非存在領域との剛性差に起因して、吸収体４の非存在領域である、吸収性本体５の縦方向端部Ａｚ（幅減少部１０）及びその近傍が、下着の肌対向面から浮き上がり易くなるため、縦方向端部Ａｚ及びその近傍を指で掴み易くなり、ナプキン１（吸収性本体５）を下着から剥がし易くなる。
【００２８】
ナプキン１（前方部Ａ）の掴み性に関し、下記方法により測定されるナプキン１の前方部Ａ（吸収性本体５の縦方向一端側）の浮き上がり角度は、好ましくは３０°以上５０°以下、更に好ましくは３５°以上４５°以下である。浮き上がり角度が前記特定範囲にあると、ナプキン１の前方部Ａ（縦方向端部Ａｚ及びその近傍）の掴み性が一層向上するため、粘着部７を介して下着に固定されたナプキン１（吸収性本体５）を該下着から一層剥がし易くなる。浮き上がり角度を前記特定範囲にすることは、前記構成１〜３の採用、特に前記構成３の採用によるところが大きい。浮き上がり角度が３０°未満では、ナプキン１（前方部Ａ）の掴み性に改良の余地が残り、浮き上がり角度が５０°を超えると、ナプキン１と下着との粘着部７での固定が弱くなるおそれがある。
【００２９】
＜浮き上がり角度の測定方法＞
下着の股下部（クロッチ部）の肌対向面に測定対象の吸収性物品（生理用ナプキン等）を該吸収性物品の粘着部を介して常法通り貼り付けて、人体下半身静止モデルに３時間装着させる。装着後、モデルから下着を吸収性物品が貼り付いた状態のまま取り外し、該下着を、傾斜角度１０°の斜面に、該吸収性物品が露出し（該下着が該斜面と対向し）且つ該吸収性物品の縦方向が該斜面の傾斜方向に一致し且つ該吸収性物品の前方部が該傾斜方向の上側に位置するように載置し、その状態で吸収性物品の前方部が下着の肌対向面から浮き上がるか否かを目視で観察する。吸収性物品の前方部の浮き上がりが確認できた場合には、該前方部と該下着の肌対向面とのなす角度を測定し、その測定値を浮き上がり角度とする。
【００３０】
また、粘着部７を介してショーツ等の下着に固定されたナプキン１（吸収性本体５）の該下着からの剥がし易さに関し、ショーツ等からナプキン１が剥がれる際にかかる力（剥離強度）が小さいと剥がし易くなり、下記方法により測定されるナプキン１の剥離強度は、剥がし易さの向上の観点から、好ましくは７０ｃＮ以上２５０ｃＮ以下、更に好ましくは１００ｃＮ以上２００ｃＮ以下である。剥離強度を前記特定範囲にすることは、前記構成１〜３の採用、特に前記構成３の採用によるところが大きい。つまり、長さｂ２を長さｂ１よりも長くすることで、ナプキン１をショーツ等から剥離する際にかかる衝撃が緩和され、剥がし易くなるからである。剥離強度が７０ｃＮ未満では、着用中にナプキン１がずれるおそれがあり、剥離強度が２５０ｃＮを超えると、粘着部７を介して下着に固定されたナプキン１を該下着から剥がし難くなるおそれがある。
【００３１】
＜剥離強度の評価方法＞
測定対象の吸収性物品（生理用ナプキン等）の裏面シートの非肌対向面に設けられている粘着部に、綿金巾（横８０ｍｍ、縦１５０ｍｍ）を、該粘着部全体を覆い且つ該粘着部における吸収性本体の縦方向一端側（前方部Ａ側）の端（長さｂ２の始点又は終点となる部位）から該縦方向に３０ｍｍ延出するように取り付け、該吸収性物品から該綿金巾を剥がす際にかかる剥離強度の最大値を測定する。剥離強度の測定にはテンシロン引張試験機〔（株）エー・アンド・デイ製、ＲＴＣ−１２１０Ａ〕を使用し、測定対象の吸収性物品の粘着部が綿金巾に接着していることを確認後、該引張試験機のチャックの上側に該綿金巾の端５ｍｍの部分、該チャックの下側に該吸収性物品の端５ｍｍの部分をそれぞれ挟み、上側のチャックに挟んだ綿金巾を一定速度５mm／secで上昇させた際の引っ張り強度の最高値（単位：ｃＮ）を読み取る。測定は５回行い、その平均値を、測定対象の吸収性物品の剥離強度（単位：ｃＮ）とする。
【００３２】
前記構成１〜３の採用による作用効果をより一層確実に奏させるようにする観点から、ナプキン１の各部の寸法等は以下のように設定することが好ましい。尚、以下に示す各部の寸法（長さ等）は、吸収性物品（ナプキン１）に弾性部材が配されている場合は、その弾性部材の全てを伸長させた状態におけるものである。
長さａ１は、好ましくは１２ｍｍ以上、更に好ましくは２５ｍｍ以上、そして、好ましくは４５ｍｍ以下、更に好ましくは３５ｍｍ以下、より具体的には、好ましくは１２ｍｍ以上４５ｍｍ以下、更に好ましくは２５ｍｍ以上３５ｍｍ以下である。
長さａ２は、好ましくは１０ｍｍ以上、更に好ましくは１５ｍｍ以上、そして、好ましくは３０ｍｍ以下、更に好ましくは２５ｍｍ以下、より具体的には、好ましくは１０ｍｍ以上３０ｍｍ以下、更に好ましくは１５ｍｍ以上２５ｍｍ以下である。
長さａ１と長さａ２との差（ａ１−ａ２）は、好ましくは３ｍｍ以上、更に好ましくは５ｍｍ以上、そして、好ましくは２０ｍｍ以下、更に好ましくは１５ｍｍ以下、より具体的には、好ましくは３ｍｍ以上２０ｍｍ以下、更に好ましくは５ｍｍ以上１５ｍｍ以下である。
【００３３】
長さｂ１は、好ましくは１０ｍｍ以上、更に好ましくは１５ｍｍ以上、そして、好ましくは３０ｍｍ以下、更に好ましくは２５ｍｍ以下、より具体的には、好ましくは１０ｍｍ以上３０ｍｍ以下、更に好ましくは１５ｍｍ以上２５ｍｍ以下である。
長さｂ２は、好ましくは２０ｍｍ以上、更に好ましくは３０ｍｍ以上、そして、好ましくは６０ｍｍ以下、更に好ましくは５０ｍｍ以下、より具体的には、好ましくは２０ｍｍ以上６０ｍｍ以下、更に好ましくは３０ｍｍ以上５０ｍｍ以下である。
長さｂ２と長さｂ１との差（ｂ２−ｂ１）は、好ましくは５ｍｍ以上、更に好ましくは１０ｍｍ以上、そして、好ましくは３０ｍｍ以下、更に好ましくは２０ｍｍ以下、より具体的には、好ましくは５ｍｍ以上３０ｍｍ以下、更に好ましくは１０ｍｍ以上２０ｍｍ以下である。
【００３４】
溝６（横溝６１、縦溝６２）の幅（溝の長さ方向と直交する方向の長さ）は、好ましくは１５ｍｍ以上、更に好ましくは３０ｍｍ以上、そして、好ましくは５０ｍｍ以下、更に好ましくは４５ｍｍ以下、より具体的には、好ましくは１５ｍｍ以上５０ｍｍ以下、更に好ましくは３０ｍｍ以上４５ｍｍ以下である。
尚、本発明に係る溝は、表面シートと吸収体とが同時に圧縮されている部位であって、且つ該吸収体の密度が周辺部よりも高い部位である。
【００３５】
溝６（横溝６１、縦溝６２）での吸収体４の厚みＴ（図２参照）は、好ましくは０．０３ｍｍ以上、更に好ましくは０．０５ｍｍ以上、そして、好ましくは０．５ｍｍ以下、更に好ましくは０．３ｍｍ以下、より具体的には、好ましくは０．０３ｍｍ以上０．５ｍｍ以下、更に好ましくは０．０５ｍｍ以上０．３ｍｍ以下である。
ここでいう、「溝での吸収体の厚み」は、溝６（横溝６１、縦溝６２）の形成位置における、表面シート２及び裏面シート３を除く吸収体４の無加圧下での厚みであり、吸収体４が吸収性コアとこれを被覆するコアラップシートとを含んで構成されている場合は、吸収性コアのみならずコアラップシートも含めた全体の無加圧下での厚みである。溝での吸収体の厚みは、次のようにして測定される。フェザー剃刃Ｓ（片刃）を使用し、測定対象の吸収性物品の溝（厚み測定部位）を横断するように、該吸収性物品の肌対向面側（表面シート側）から該刃を押し当てて該吸収性物品を切断し、その切断断面を、（株）キーエンス製のマイクロスコープＶＨＸ−１０００を用いて倍率２０倍で観察し、該切断断面における吸収体の厚み（表面シート及び裏面シートを除いた厚み）を測定する。斯かる測定を測定対象の吸収性物品の任意の１０点について行い、それら１０点の測定値の平均値を、溝での吸収体の厚みとする。
【００３６】
本実施形態においては、主として、体液の交点Ｐ及びその近傍への到達をより一層困難にして、ナプキン１を下着から剥がす作業をより一層衛生的に行えるようにする観点から、前記構成１〜３に加えて更に、下記構成４（図１（ａ）参照）を採用している。
・構成４：  溝６における、吸収体４の前方部Ａ側の縦方向の端（吸収体４の縦方向一端）４Ａｓに最も近接する部分（図１（ａ）中符号Ｒで示す部分）から、吸収体４の端４Ａｓまでの、縦方向Ｘに沿った長さａ３が２０ｍｍ以上である。
【００３７】
前記部分Ｒは、本実施形態においては、横溝６１の端部（縦溝６２の前方部Ａ側の端部）である。長さａ３は、好ましくは２０ｍｍ以上、更に好ましくは２５ｍｍ以上、そして、好ましくは４０ｍｍ以下、更に好ましくは５０ｍｍ以下、より具体的には、好ましくは２０ｍｍ以上５０ｍｍ以下、更に好ましくは２５ｍｍ以上４０ｍｍ以下である。長さａ３が短すぎると、体液の交点Ｐ及びその近傍への到達防止効果に乏しく、長さａ３が長すぎると、横方向Ｙに体液が広がり易くなり横漏れのおそれがある。
【００３８】
ナプキン１における各部の形成材料について説明すると、表面シート２としては、当該技術分野において従来用いられている各種のものを特に制限なく用いることができ、例えば、親水処理が施された各種不織布や開孔フィルム等の液透過性のシートを用いることができる。また、裏面シート３としては、当該技術分野において従来用いられている各種のものを特に制限なく用いることができる。裏面シート３は、液不透過性でも液透過性でも良く、例えば透湿性を有しない樹脂フィルムや、微細孔を有し、透湿性を有する樹脂フィルム、撥水不織布等の不織布、これらと他のシートとのラミネート体等を用いることができる。
【００３９】
吸収体４の形成材料（吸収性材料）としては、当該技術分野において吸収体の形成材料として従来用いられている各種のものを特に制限なく用いることができ、例えば、木材パルプ、合繊繊維等の親水性繊維からなる繊維集合体、又は該繊維集合体に粒子状の高吸水性樹脂を保持させたもの等を用いることができる。また吸収体４は、繊維集合体等からなる液保持性の吸収性コアと、該吸収性コアを被覆する液透過性のコアラップシートとを含んで構成されていても良い。コアラップシートとしては、例えば、ティッシュペーパー等の紙や各種不織布、開孔フィルム等を用いることができる。
【００４０】
粘着部７の形成材料（粘着剤）としては、この種の吸収性物品において粘着部形成用に用いられている各種のものを特に制限なく用いることができ、例えば、スチレン―イソプレンブロック共重合体（ＳＩＳ系）やスチレン―ブタジエンブロック共重合体（ＳＢＳ系）のゴム系樹脂、アクリル樹脂、シリコン系樹脂等の粘着性樹脂が挙げられる。
【００４１】
本実施形態のナプキン１は、公知の生理用ナプキンと同様に粘着部７を介してショーツ等の下着に固定して使用する。本実施形態のナプキン１は、前記構成１〜４を具備していることにより、使用後に下着から剥がす際の起点（掴み部）として利用されることの多い部位である、「縦方向中心線Ｌｘと吸収性本体５の縦方向端部Ａｚの縁５Ａｓとの交点Ｐ及びその近傍」が、経血等の体液で汚れにくく且つ指で掴み易くなっているため、使用後に下着から衛生的且つ容易に剥がすことができる。
【００４２】
図４には、本発明の吸収性物品の他の実施形態が示されている。図４に示す他の実施形態（ナプキン１Ａ）については、前記実施形態（ナプキン１）と異なる構成部分を主として説明し、同様の構成部分は同一の符号を付して説明を省略する。特に説明しない構成部分は、前記実施形態（ナプキン１）についての説明が適宜適用される。
【００４３】
図４に示すナプキン１Ａにおいては、溝６は、横溝６１と一対の縦溝６２，６２とで囲まれた領域に、平面視して後方部Ｂ側（吸収性本体５の縦方向他端側）に向けて凸状に湾曲し且つ縦方向中心線Ｌｘを挟んで対称的に形成されている、湾曲溝６３を１つ有している。湾曲溝６３は、横溝６１と平面視形状が同じである。このように、横溝６１よりも縦方向Ｘの内方に湾曲溝６３が形成されていると、ナプキン１（吸収性本体５）の中央部又はその近傍（排泄部対向部）に排泄された経血等の体液が、横溝６１を越えて縦方向Ｘの外方へ拡がり、粘着部７を介して下着に固定されたナプキン１（吸収性本体５）を該下着から剥がす際に起点（掴み部）として利用される、交点Ｐ（図１参照）及びその近傍に到達する不都合が、一層効果的に防止される。
【００４４】
湾曲溝６３による作用効果をより確実に奏させるようにする観点から、湾曲溝６３とこれに隣接する横溝６１との間隔は、好ましくは５ｍｍ以上、更に好ましくは１０ｍｍ以上、そして、好ましくは４０ｍｍ以下、更に好ましくは３０ｍｍ以下、より具体的には、好ましくは５ｍｍ以上４０ｍｍ以下、更に好ましくは１０ｍｍ以上３０ｍｍ以下である。湾曲溝６３の構成及び各部の寸法（幅、深さ等）等は、溝６を構成する他の溝（横溝６１、縦溝６２）と同様に設定することができる。
【００４５】
また、横溝６１及び湾曲溝６３が、それぞれ前述したように、浅凹陥部と深凹陥部とによって構成されている場合、両溝６１，６３それぞれにおいて浅凹陥部及び深凹陥部の溝長さ方向（平面視において溝６１，６３が延びている方向）の長さを適宜設定することにより、前述した湾曲溝による効果を一層向上することができる。具体的には、横溝６１よりも吸収性本体５の縦方向中央側に位置する湾曲溝６３においては、浅凹陥部の溝長さ方向の長さを深凹陥部のそれよりも長くし、横溝６１においては、浅凹陥部の溝長さ方向の長さを深凹陥部のそれよりも短くすることで、湾曲溝６３では、側方への液の導液を抑えながら、横溝６１では側方への導液を高めることで、吸収量を向上させながら、本発明における効果を奏することができる。また、湾曲溝６３では、その溝長さ方向の中央部（凸部の頂部及びその近傍）においては、浅凹陥部の溝長さ方向の長さを深凹陥部のそれよりも長くし、該中央部の両側に位置する湾曲溝６３の側方部においては、浅凹陥部の溝長さ方向の長さを深凹陥部のそれよりも短くすることで、同様の効果を奏すようにできる。
【００４６】
以上、本発明をその好ましい実施形態に基づき説明したが、本発明は前記実施形態に制限されない。例えば、前記実施形態では、前記構成１〜４をはじめとする本発明の主たる特長は、前方部Ａに適用されていたが、後方部Ｂに適用することもできる。即ち、本発明には、前記構成１〜４をはじめとする本発明の主たる特長が、前方部Ａ及び後方部Ｂの何れか一方のみに適用されている形態のみならず、前方部Ａ及び後方部Ｂの両方に適用されている形態も含まれる。
【００４７】
また、図４に示すナプキン１Ａにおいては、湾曲溝６３は１つのみであったが、２つ以上形成しても良い。その場合、互いに隣り合う２つの湾曲溝６３，６３の間隔は、前述した、湾曲溝６３とこれに隣接する横溝６１との間隔と同じに設定することができる。
また、前記実施形態では、本発明の吸収性物品の適用例の一つとして生理用ナプキンを挙げたが、例えば、パンティライナー（おりものシート）、失禁パッド、使い捨ておむつ等にも適用できる。また、生理用ナプキンは、ウイング部を備えていても良い。
【００４８】
前述した本発明の実施形態に関し、更に以下の付記（吸収性物品）を開示する。
【００４９】
＜１＞
下着に固定して使用する吸収性物品で、着用者の前後方向に相当する縦方向とこれに直交する横方向とを有し、肌対向面を形成する表面シート、非肌対向面を形成する裏面シート及びこれら両シート間に配された吸収体を具備する吸収性本体を備え、該裏面シートの非肌対向面に、該吸収性本体を下着に固定する粘着部が設けられている吸収性物品であって、
前記吸収性本体の肌対向面に、前記表面シート及び前記吸収体が前記裏面シート側に向かって一体的に凹陥してなる溝が形成されており、
前記溝は、前記吸収性本体の縦方向一端側に位置し且つ平面視して該吸収性本体の縦方向他端側に向けて突出する凸部を有する、横溝と、該横溝を挟んで相対向し且つ縦方向に延びる一対の縦溝とを有し、該横溝は、該吸収性本体を横方向に二分する縦方向中心線を挟んで対称的に形成されており、
前記吸収性本体の縦方向一端部は、該縦方向一端部の横方向の長さが縦方向の内方から外方に向かって漸次減少している幅減少部を有しており、
前記縦方向中心線と平行で且つ前記縦溝における横方向最外方に位置する部分を通る仮想直線を引いた場合、該縦方向中心線と前記吸収性本体の縦方向一端部の縁との交点から前記吸収体までの、該縦方向中心線に沿った長さａ１に比して、該仮想直線と該縁との交点から該吸収体までの、該仮想直線に沿った長さａ２の方が短く、
前記縦方向中心線と前記幅減少部との重なり部分の長さｂ１に比して、前記交点Ｐから前記粘着部までの、前記縦方向中心線に沿った長さｂ２の方が長い吸収性物品。
【００５０】
＜２＞
前記横溝と前記一対の縦溝とは、それらの長さ方向の端部で繋がっており、全体として平面視所定形状の溝を形成している前記＜１＞記載の吸収性物品。
＜３＞
前記横溝は、平面視して前記吸収性本体の縦方向他端側に向けて凸状に湾曲し、その凸状の湾曲部から該横溝の前記凸部が形成されている前記＜１＞又は＜２＞記載の吸収性物品。
＜４＞
前記方法により測定される前記吸収性物品の前方部の浮き上がり角度は、好ましくは３０°以上５０°以下、更に好ましくは３５°以上４５°以下である前記＜１＞〜＜３＞の何れか一項に記載の吸収性物品。
【００５１】
＜５＞
前記長さａ１は、好ましくは１２ｍｍ以上、更に好ましくは２５ｍｍ以上、そして、好ましくは４５ｍｍ以下、更に好ましくは３５ｍｍ以下である前記＜１＞〜＜４＞の何れか一項に記載の吸収性物品。
＜６＞
前記長さａ２は、好ましくは１０ｍｍ以上、更に好ましくは１５ｍｍ以上、そして、好ましくは３０ｍｍ以下、更に好ましくは２５ｍｍ以下である前記＜１＞〜＜５＞の何れか一項に記載の吸収性物品。
＜７＞
前記長さａ１と前記長さａ２との差（ａ１−ａ２）は、好ましくは３ｍｍ以上、更に好ましくは５ｍｍ以上、そして、好ましくは２０ｍｍ以下、更に好ましくは１５ｍｍ以下である前記＜１＞〜＜６＞の何れか一項に記載の吸収性物品。
＜８＞
前記長さｂ１は、好ましくは１０ｍｍ以上、更に好ましくは１５ｍｍ以上、そして、好ましくは３０ｍｍ以下、更に好ましくは２５ｍｍ以下である前記＜１＞〜＜７＞の何れか一項に記載の吸収性物品。
＜９＞
前記長さｂ２は、好ましくは２０ｍｍ以上、更に好ましくは３０ｍｍ以上、そして、好ましくは６０ｍｍ以下、更に好ましくは５０ｍｍ以下である前記＜１＞〜＜８＞の何れか一項に記載の吸収性物品。
＜１０＞
前記長さｂ２と長さｂ１との差（ｂ２−ｂ１）は、好ましくは５ｍｍ以上、更に好ましくは１０ｍｍ以上、そして、好ましくは３０ｍｍ以下、更に好ましくは２０ｍｍ以下である前記＜１＞〜＜９＞の何れか一項に記載の吸収性物品。
【００５２】
＜１１＞
前記溝は、前記横溝と一対の前記縦溝とで囲まれた領域に、平面視して前記吸収性本体の縦方向他端側に向けて凸状に湾曲し且つ前記縦方向中心線を挟んで対称的に形成されている、湾曲溝を有している前記＜１＞〜＜１０＞の何れか一項に記載の吸収性物品。
＜１２＞
前記湾曲溝とこれに隣接する前記横溝との間隔は、好ましくは５ｍｍ以上、更に好ましくは１０ｍｍ以上、そして、好ましくは４０ｍｍ以下、更に好ましくは３０ｍｍ以下である前記＜１１＞記載の吸収性物品。
＜１３＞
前記溝における前記吸収体の縦方向一端に最も近接する部分から、該吸収体の縦方向一端までの、縦方向に沿った長さａ３が好ましくは２０ｍｍ以上である前記＜１＞〜＜１２＞の何れか一項に記載の吸収性物品。
＜１４＞
前記長さａ３は、好ましくは２０ｍｍ以上、更に好ましくは２５ｍｍ以上、そして、好ましくは４０ｍｍ以下、更に好ましくは５０ｍｍ以下である前記＜１＞〜＜１３＞の何れか一項に記載の吸収性物品。
【００５３】
＜１５＞
前記溝の全体が一定の深さで凹陥している前記＜１＞〜＜１４＞の何れか一項に記載の吸収性物品。
＜１６＞
前記溝は、相対的に浅く凹陥している浅凹陥部と、相対的に深く凹陥している深凹陥部とを含んで構成されている前記＜１＞〜＜１４＞の何れか一項に記載の吸収性物品。
＜１７＞
前記溝は、前記浅凹陥部と前記深凹陥部とが溝の長さ方向に沿って交互に連なることによって、全体として連続線を形成する前記＜１６＞記載の吸収性物品。
＜１８＞
前記湾曲溝においては、前記浅凹陥部の溝長さ方向の長さが前記深凹陥部のそれより長く、前記横溝においては、前記浅凹陥部の溝長さ方向の長さが前記深凹陥部のそれより短い前記＜１６＞又は＜１７＞記載の吸収性物品。
＜１９＞
前記湾曲溝は、その長さ方向の中央部においては、前記浅凹陥部の溝長さ方向の長さが深凹陥部より長く、該中央部の両側に位置する該湾曲溝の側方部においては、前記浅凹陥部の溝長さ方向の長さが前記深凹陥部のそれより短い前記＜１６＞〜＜１８＞の何れか一項に記載の吸収性物品。
【実施例】
【００５４】
以下、本発明を実施例により更に具体的に説明するが、本発明は斯かる実施例に限定されるものではない。
【００５５】
〔実施例１〜６及び比較例１〜３〕
図１及び図２に示すものと同様の基本構成を有し且つ長さａ１、ａ２、ａ３、ｂ１及びｂ２等の特定部位の寸法が互いに異なる、複数種の生理用ナプキンを作製し、それぞれ各実施例及び比較例のサンプルとした。表面シート２として坪量７４ｇ／ｍ2のエアースルー不織布（芯ＰＥＴ／鞘ＰＥの複合繊維）を用い、裏面シート３として坪量２３ｇ／ｍ2のポリエチレンフィルムシートを用いた。吸収体４は総坪量２５０ｇ／ｍ2の吸収性コアを用いた。この吸収性コアの長手方向の全長は３６０ｍｍ、幅方向の全長（最大長さ）は１１０ｍｍであった。この吸収性コアを、コアラップシートとしての坪量１６ｇ／ｍ2のティッシュペーパーで被覆して、吸収体４とした。
【００５６】
尚、各実施例及び比較例の溝に関し、実施例１〜３及び比較例３については、図１（ａ）に示す溝６と同じ形態を採用し、実施例４及び５については、図４に示す如き湾曲溝が１つ形成された形態を採用し、実施例６については、湾曲溝が２つ形成された形態（図示せず）を採用し、比較例１及び２については、図１（ａ）に示す溝６に代えて図５に示す略Ｕ字状の溝６Ａを採用した。溝６Ａは、図５に示すように、吸収性本体（図示せず）の前方部Ａ（吸収性本体の縦方向一端側）に位置し且つ平面視して前方部Ａ側に向けて凸状に湾曲する、横溝６１Ａと、該横溝６１Ａを挟んで相対向し且つ縦方向Ｘに延びる一対の縦溝６２とを有し、該横溝６２は、該吸収性本体を横方向に二分する縦方向中心線Ｌｘを挟んで対称的に形成されている。また、実施例６に関し、２つの湾曲溝の間隔は、そのうちの１つの湾曲溝とこれに隣接する横溝との間隔と同じに設定した。このように、湾曲溝の有無は別として、縦溝及び横溝の形状としては、比較例１及び２以外は同じである。
【００５７】
〔評価〕
実施例及び比較例のサンプル（生理用ナプキン）について、浮き上がり角度及び剥離強度をそれぞれ前記方法により測定すると共に、液注入量を下記方法により測定した。それらの結果を下記表１に示す。
【００５８】
＜液注入量の評価方法＞
評価対象の生理用ナプキンの肌対向面側から血液を注入し続け、該血液がその注入部位よりも外方に位置する特定部位に到達するまでに注入された該血液の総量を、液の広がり難さの指標とした。具体的には、生理用ナプキンの肌対向面（表面シート側）の溝における、該ナプキンを横方向に二分する縦方向中心線（図１（ａ）に示す縦方向中心線Ｌｘに相当）と重なる部位（図１に示す如き構成の生理用ナプキンにおいては、図１（ａ）中符号Ｓで示す部位。以下、溝―縦方向中心線重複部位ともいう。）から該ナプキンの縦方向中心部に向けて２０ｍｍの位置に、（株）日本バイオテスト研究所製の馬脱繊維血液を注入する。血液の注入は、血液５ｇを一括注入する血液一括注入操作を繰り返し行うことによって実施し、注入された血液がその注入部位から縦方向外方（前方部側）に拡がり、前記溝―縦方向中心線重複部位を超えるまで該血液一括注入操作を繰り返し、血液が前記溝―縦方向中心線重複部位を超えた時点で生理用ナプキンに注入された血液の総量（液注入量）を測定する。液注入量は、注入された血液が前記溝―縦方向中心線重複部位を超えた時点で実施済みの前記血液一括注入操作の回数（実施済み操作回数）をカウントし、次式により算出する。液注入量が１０ｇ以上であると、液が拡がり難いと判断され、粘着部を介して下着に固定された生理用ナプキンを指で掴んで該下着から剥がす際に、該生理用ナプキンに吸収された血液が指に付着し難いと推測され、高評価となる。
液注入量＝５ｇ×（実施済み操作回数―１）
【００５９】
【表１】
2014117525.tif 000003
【００６０】
表１に示す結果から明らかなように、各実施例の生理用ナプキンは、浮き上がり角度が３０°以上５０°以下であって、粘着部を介して下着に固定された場合においてその下着から剥がす際に掴み易く、また、剥離強度が７０ｃＮ以上２５０ｃＮ以下であって、下着から剥がし易く、また、液注入量が１０ｇ以上であって、液が前方部側へ拡がり難い。これに対し、比較例１の生理用ナプキンは、主として、横溝６１Ａ（図５参照）の形状が各実施例における横溝６１（図１（ａ）参照）とは異なっていて、長さａ１＝長さａ２で且つ長さｂ１＞長さｂ２であるため、全ての評価項目に関し各実施例に劣る結果となった。また、比較例２の生理用ナプキンは、各実施例と同様に長さｂ１＜長さｂ２ではあるものの、主として、横溝６１Ａの採用に加えて更に長さａ１＝長さａ２であるため、特に浮き上がり角度及び液注入量に関し各実施例に劣る結果となった。また、比較例３の生理用ナプキンは、縦溝及び横溝の形状は実施例におけるものと同じであるものの、主として、長さａ１＝長さａ２で且つ長さｂ１＞長さｂ２であるため、特に浮き上がり角度及び剥離強度に関し各実施例よりも劣る結果となった。以上のことから、使用後に下着から衛生的且つ容易に剥がすことが可能な吸収性物品（生理用ナプキン）とするためには、横溝及び縦溝の形状を図１（ａ）に示す如き形状、特に、「吸収性本体の縦方向一端側に位置し且つ平面視して該吸収性本体の縦方向他端側に向けて突出する凸部を有する（凸状に湾曲する）、横溝」を有するものとし、且つ長さａ１＞長さａ２の関係を満たし、且つ長さｂ１＜長さｂ２の関係を満たすことが有効であることがわかる。
【符号の説明】
【００６１】
１  生理用ナプキン（吸収性物品）
２  表面シート
３  裏面シート
４  吸収体
５  吸収性本体
６，６Ａ  溝
６１，６１Ａ  横溝
６２  縦溝
６３  湾曲溝
７  粘着部
Ｌｘ  縦方向中心線
Ｌｙ  横方向中心線
Ｌｚ  仮想直線
Ａ  前方部（吸収性本体の縦方向一端側）
Ｂ  後方部（吸収性本体の縦方向他端側）
Ｘ  縦方向
Ｙ  横方向
【図１】
2014117525.tif 000004
【図２】
2014117525.tif 000005
【図３】
2014117525.tif 000006
【図４】
2014117525.tif 000007
【図５】
2014117525.tif 000008